(57)【要約】【課題】皮膚をできるだけ乾燥した状態に保てる生地を、加工し易く、また、特殊な素材も用いることなく、廉価に、そして簡単に加工製造できるようする。【解決手段】ポリエステル綿からなる不織布の表裏二層の内層２と、これらポリエステル綿からなる不織布の内層２の間に挟まれたコットンからなる不織布の芯部３とがニードルパンチ処理加工により接合され、前記ポリエステル綿からなる不織布の内層２の外側にそれぞれトリコットの最外層３が接合されている。【選択図】      図１
2005219347.tif 000002
【特許請求の範囲】
【請求項１】
ポリエステル綿からなる不織布の表裏二層の内層と、これらポリエステル綿からなる不
織布の内層の間に挟まれたコットンからなる不織布の芯部とがニードルパンチ加工により
接合され、前記ポリエステル綿からなる不織布の内層の外側にそれぞれトリコットの最外
層が接合されて成ることを特徴とする汗取り用生地。
【請求項２】
最外層のトリコットがポリエステル綿からなる不織布の内層の外側に接着剤で接合され
ている請求項１記載の汗取り用生地。
【請求項３】
ポリエステル綿からなる不織布の表裏二層の内層と、これらポリエステル綿からなる
不織布の内層の間に挟まれたコットンからなる不織布の芯部とがニードルパンチ加工によ
り接合され、前記ポリエステル綿からなる不織布の内層の外側にそれぞれトリコットの最
外層が接合されて成ることを特徴とするブラジャーカップ用基材。
【請求項４】
最外層のトリコットがポリエステル綿からなる不織布の内層の外側に接着剤で接合され
ている請求項５記載のブラジャーカップ用基材。
【請求項５】
ポリエステル綿の不敷布からなる内層の間に芯部となるコットンの不織布を挟み、上下
から針がポリエステル綿からなる不敷布からなる内層を突き抜けてその外表面にまで突出
させるようにしてニードルパンチ処理をして積層ウエブを形成し、続いてこの内層の外側
にそれぞれ接着剤を介してトリコットからなる最外層を接合して積層ウエブを形成した汗
取り用生地の製造方法。
【発明の詳細な説明】
【技術分野】
【０００１】
この発明は、汗取り用生地、更に詳しくは、主としてブラジャーカップ用基材とし、汗
を吸収するのに好適な、また、出産直後更には授乳期の母親などが着用するのに好適な汗
取り用生地とその製法に関する。
【背景技術】
【０００２】
この種汗取り用生地並びにその製法は、種々の加工を施したり、特殊な繊維を組み合わ
せたりすることによって、所期の目的を達成していた。
【特許文献１】特開平６−２１２５０１号公報
【特許文献１】登録実用新案実第３０３７７１５号公報
【発明の開示】
【発明が解決しようとする課題】
【０００３】
このように種々の加工を施したり、特殊な繊維を組み合わせたりすることは、コスト高
になる上に加工も面倒である。
【０００４】
本発明者等は、この従来の問題点を解決すべく、種々検討を重ねた結果、着用時には皮
膚から外側へ素早く水分を移動させて、皮膚をできるだけ乾燥した状態に保てる生地とそ
の製法を開発したので、ここに提案する。
【０００５】
したがって、本発明は、皮膚をできるだけ乾燥した状態に保てる生地を、加工し易く、
また、特殊な素材も用いることなく、廉価に、そして簡単に加工製造できる汗取り用生地
とその製法並びにこの生地を用いたブラジャーカップ用基材を提供することを課題とする
。
【課題を解決するための手段】
【０００６】
以上の技術的な課題を解決するために、本発明の請求項１記載の汗取り用生地は、最外
層がトリコットと、ニードルパンチ加工により接合された、少なくとも内層がポリエステ
ル綿からなる不織布の表裏二層の上下層と、これらポリエステル綿からなる不織布に挟ま
れた芯部のコットンとから成る。
【０００７】
コットンからなる不織布の芯部と当該コットンからなる芯部の表裏両サイドのポリエス
テル綿からなる不織布の内層とが、ニードルパンチによって、繊維同士の交絡によって接
合されるから、層間剥離が生じ難くなる。その上、芯部にあるコットン繊維がポリエステ
ル綿からなる不織布の内層を突き抜けて、その外表面側にまで引き出されて、このポリエ
ステル綿からなる不織布の外表面に毛羽を形成するから、着用者の皮膚から素早く水分を
吸収して、この芯部のコットン層へ移動させる。つまりは、この繊維交絡部が水分の導通
路としてもうまく機能し、汗の水分を素早く芯部のコットンに導くように働く。また、ポ
リエステル綿からなる不織布の内層は、速乾性に優れているため、たとえ芯部のコットン
層に水分が吸収されていても、ベトツキ感や冷え感が少なく、着用快適性を高める。最外
層のトリコットは肌触りが良い上に伸縮性、柔軟性に優れて着用快適性を助長し、更には
多孔性の故に通気性にも優れ、生地外部への水分の蒸散を促進する。
【発明の効果】
【０００８】
したがって、この発明は以下の効果を奏する。
以上説明したように、本発明の汗取り用生地は、少なくともコットンからなる不織布の
芯部と、その表裏両面のポリエステル綿からなる不織布の内層がニードルパンチ加工で接
合されているため、その製造加工が大変簡便である。また、芯部も内層も特殊な加工を必
用としていないので、廉価に提供でき、強度を持たせることができる。併せて汗の吸収機
能に優れる上に、ポリエステル綿からなる不織布の内層の速乾性によってベトツキ感や冷
え感を少なくでき、着用快適性が高まる。更に最外層のトリコットの肌触りの良さに加え
て、優れた伸縮性、柔軟性により着用快適性を一層助長し、多孔性の故に通気性にも優れ
、生地外部への水分の蒸散を促進し、より高い着用快適性が得られる。したがって、この
生地は皮膚をできるだけ乾燥した状態に保つことができ、下着や肌着として好適に採用で
きる。
【０００９】
この生地は、以上の構成において、請求項２に記載のように、ポリエステル綿からなる
不織布の内層の表面側に接着剤で接合されているのが望ましい。
その加工製造が簡便で、格段に廉価で提供できる。
【００１０】
また、以上の汗取り用生地は請求項３〜４記載のように、ブラジャーカップ用基材とし
て好適に採用される。
特に、汗の他にも、出産直後や授乳期の母親は母乳が漏れ出ることが良くあるが、この
母乳も、素早く吸収して、芯部のコットン層へ移動させ、このコットン層内に分散させる
。また、ポリエステル綿からなる不織布の内層の速乾性によってベトツキ感や冷え感を少
なくでき、着用快適性が高まる。更に最外層のトリコットの肌触りの良さに加えて、優れ
た伸縮性、柔軟性により着用快適性を一層助長し、多孔性の故に通気性にも優れ、生地外
部への水分の蒸散を促進し、より高い着用快適性が得られる。したがって、母乳がブラジ
ャー内側から外側へ染み出て外側の衣服が汚れるのを防止し、併せて皮膚をできるだけ乾
燥した状態に保つことができる。
【００１１】
以上の生地、また、ブラジャーカップ用基材は、請求項５に記載のように、ポリエステ
ル綿からなる不織布の内層、そしてコットンからなる芯部の不織布をニードルパンチ加工
によって一体に接合した上、トリコットからなる最外層をポリエステル綿からなる不織布
の内層の表面側に接着剤で接合して製造する。
製造加工が大変シンプルな工程で、また簡便に行えるので、廉価に提供できる。
【発明を実施するための最良の形態】
【００１２】
皮膚をできるだけ乾燥した状態に保てる生地を、加工し易く、また、特殊な素材も用い
ることなく、廉価に、そして簡単に加工製造できるようにするという目的を、最小の加工
手数で、特異な素材を用いないで実現した。
【００１３】
以下、この発明に係る汗取り用生地を、ブラジャーカップ用基材に適用した場合の実施
の形態について、図面にしたがって、詳細に説明する。
【００１４】
図１は、この基材の概略構成断面を示している。
図１において、１はトリコットからなる最外層、２はこのトリコットからなる最外層の
内側に配されるポリウレタン綿からなる不織布の内層、３はこの上下のポリウレタン綿か
らなる不織布の内層２の間に挟まれて存在するコットンからなる芯部、そして４はニード
ルパンチ処理による繊維交絡部である。
【００１５】
最外層１のトリコットは、言うまでもなく、伸縮性に富み、柔軟性があり、皺や折り目
が付き難く、また、多孔性のために保温性、通気性に優れ、比重が少なくボリューム感の
割には軽い特性を備えている。なお、肌に接する側には吸水性のある綿のトリコットを採
用し、逆に反対側（外気などに接する側）には透水性のある粗いはハーフトリコットを採
用するのが望ましい。肌からの水分の吸収と、大気への水分の蒸散とを、より一層効率よ
く行えるからである。
【００１６】
また、内層２のポリエステル綿の不織布は、速乾性に優れている。このポリエステル綿
は、ポリエステル１００％素材で、６０〜１００ｇ／ｍ2 でニードルパンチ加工処理によ
って得られる不織布が採用されている。
【００１７】
芯部３のコットンからなる不織布は、コットン１００パーセントからなる不織布である
。このコットン綿はコットン脱脂綿を素材にして、厚さ５ｍｍ程に積層されたものが採用
される。
【００１８】
次に、ブラジャーカップ用基材に適用された汗取り用生地の製造方法について説明する
。
まず、芯部３のコットンからなる不織布の上下両面に前記内層２のポリエステル綿から
なる不織布を重ね合わせ、両面からパンチ数４０パンチ／ｃｍ2 、打ち込み量１２ｍｍで
、ニードルパンチ処理を施し、厚み７ｍｍの三層構造体５を形成した。
【００１９】
このニードルパンチ処理をすることによって、図２に示すように、芯部３のコットンが
針先に引っ掛けられてポリエステル綿からなる不織布の内層２を突き抜け、その表面側に
まで引き出されて、図２に示すように、ポリエステル綿からなる不織布の内層２の外表面
に毛羽６が露出して形成される。併せてこのニードルパンチ処理によって、三層が互いに
絡み合うので、この芯部３のコットン１００パーセントからなる不織布と、上下に重合す
る内層２のポリエステル綿の不織布からなる三層構造体５は格段の強度が出る。
【００２０】
続いて、この三層構造体５の外表面にそれぞれ飽和共重合ポリエステル樹脂を主成分と
した接着剤をスプレーコーティングして、最外層１となるトリコットを接合し、厚み８ｍ
ｍの五層構造のブラジャーカップ用基材７を作製した。
【００２１】
このように構成された本発明品は、芯部３のコットンと、その表裏両面のポリエステル
綿からなる不織布の内層２がニードルパンチ加工で接合されているため、その製造加工が
大変簡便である。また、芯部３も内層２も特殊な加工を必用としていないので、廉価に提
供できる。
【００２２】
また、ニードルパンチ処理の過程において作られる毛羽６が、図３に示すように、多孔
性で通気性のあるトリコットからなる最外層１の内面に接触している。
【００２３】
したがって、着用者の身体から出る汗、特に、出産直後や授乳期に漏れ出る母乳を、こ
のトリコットからなる最外層１から素早く取り込み吸収して、コットンからなる不織布の
芯部３へ移動させ、このコットン層内に分散させる。つまり、この繊維交絡部４が水分の
導通路としてもうまく機能し、汗や母乳を素早く芯部３のコットンに導くように働く。ま
た、ポリエステル綿からなる不織布の内層２は、速乾性に優れているため、たとえ芯部３
のコットン層に水分が吸収されていても、ベトツキ感や冷え感が少なく、着用快適性を高
める。最外層１のトリコットは肌触りが良い上に伸縮性、柔軟性に優れて着用快適性を助
長し、更には多孔性の故に通気性にも優れ、ブラジャーカップ用基材７外部への水分の蒸
散を促進する。
【００２４】
以上の各実施例に示されたブラジャーカップ用基材として用いられる生地は、上記のよ
うに皮膚をできるだけ乾燥した状態に保つことができるので、ブラジャーカップ用基材に
止まらず、下着用や肌着用として好適に採用できる。
【図面の簡単な説明】
【００２５】
【図１】本発明に係るブラジャーカップ用基材の第１の実施例の概略構成断面図である。
【図２】図１に示されるブラジャーカップ用基材の要部の拡大概略構成断面図である。
【図３】図１に示されるブラジャーカップ用基材の要部の一部切欠き拡大概略構成断面図である。
【符号の説明】
【００２６】
１…最外層
２…内層
３…芯部
４…繊維交絡部
５…三層構造体
６…毛羽
７…ブラジャーカップ用基材
【図１】
2005219347.tif 000003
【図２】
2005219347.tif 000004
【図３】
2005219347.tif 000005